(57)【要約】【課題】ローパスフィルタを使用する必要のない、装置の小型化に適したアンテナを提供する。【解決手段】一端同士が互いに接続された第１導体部１ａ及び第２導体部１ｂから成るアンテナ素子１と、第１導体部１ａの両端間に並列接続されたキャパシタ３と、を備え、  アンテナ素子１の長さＦ０が、送信又は受信する高周波信号ＲＦの基本波の波長の１／４の長さであり、第２導体部１ｂの他端が接地されていて、第１導体部１ａの他端が高周波信号の入力又は出力される給電点７に接続されている。【選択図】図２
2016019032.tif 000002
【特許請求の範囲】
【請求項１】
一端同士が互いに接続された第１導体部及び第２導体部から成るアンテナ素子と、前記第１導体部の両端間に並列接続されたキャパシタと、を備え、
前記アンテナ素子の長さが、送信又は受信する高周波信号の基本波の波長の１／４の長さであり、
前記第２導体部の他端が接地されていて、前記第１導体部の他端が前記高周波信号の入力又は出力される給電点に接続されている、ことを特徴とするアンテナ。
【請求項２】
前記第１導体部の長さは、前記アンテナ素子の長さの１／４である、ことを特徴とする請求項１に記載のアンテナ。
【請求項３】
前記給電点と接地点との間に、ノッチフィルタ用キャパシタとノッチフィルタ用インダクタとの直列接続回路から成るノッチフィルタ回路が接続されていて、
前記ノッチフィルタ回路の共振周波数が、前記第１導体部と前記キャパシタとによって構成される並列回路の共振周波数と同一の周波数に設定されている、ことを特徴とする請求項１又は請求項２に記載のアンテナ。
【請求項４】
前記第１導体部と前記キャパシタとによって構成される並列回路の共振周波数を、前記高周波信号の基本波の周波数に設定した、ことを特徴とする請求項１又は請求項２に記載のアンテナ。
【請求項５】
前記アンテナ素子が、絶縁基板上に金属導体で形成されていると共に、１ターンのループアンテナを構成している、ことを特徴とする請求項１乃至請求項４の何れかに記載のアンテナ。
【発明の詳細な説明】
【技術分野】
【０００１】
本発明は、高周波回路に接続されるアンテナに係わり、特に該アンテナが搭載された装置の小型化が可能なアンテナに係わる。
【背景技術】
【０００２】
近年、車両のキーレスエントリーシステムの普及に伴い、該キーレスエントリーシステムに使用されるリモコン装置の小型化が要求されるようになってきている。リモコン装置内には車両との間で送受信を行うためのアンテナが設けられており、そのアンテナとして、例えば、絶縁基板上にアンテナ用導体を形成し、そのアンテナ用導体の長さを、送受信する高周波信号の基本波の波長の１／４の長さ（λ／４）に設定したループアンテナ等が用いられる。しかし、このようなアンテナの場合、そのアンテナ共振特性には、図１２に示すように、基本波の共振点の他に複数の高調波周波数において共振点が現れる。特に基本波の奇数次（３次、５次、―――）の周波数において共振点が現れるような特性となる。
【０００３】
このように、アンテナ共振特性に複数の共振点が存在すると、これらの共振による不要な信号が他の通信システム、例えば携帯電話の通信帯域内や無線ＬＡＮ等の通信帯域内に入り込む可能性がある。その結果、携帯電話の通信や無線ＬＡＮ等の通信に影響を与えることになるか、又は携帯電話の通信や無線ＬＡＮ等の通信からの影響を受けることになる。従って、リモコン装置内のアンテナに、これら複数の共振点におけるインピーダンスを減衰させるための回路が必要となってくる。
【０００４】
そこで、基本波の高調波、特に基本波の奇数次の高調波の周波数帯域を減衰させるための回路をアンテナに接続するようにした回路構成が提案されている。例えば、特許文献１に、複数の共振点のインピーダンスを減衰させるための回路構成を適用した無線通信システム９００が開示されている。特許文献１に開示された無線通信システム９００を図１３に示す。
【０００５】
無線通信システム９００では、図１３に示すように、高周波回路（送信信号をアップコンバートする周波数変換回路）２３０とアンテナＡＮＴとの間に、少なくとも基本波の３次高調波を減衰させるためのノッチフィルタＮＴＦ１を設けるようにした。また、さらに５次高調波を減衰するためのノッチフィルタＮＴＦ２を設けるようにした。さらに望ましくは、その他の高調波成分を減衰させるために、ローパスフィルタＬＰＦを設けるようにした。このような構成のフィルタ回路２３６を用いることにより、図１４に示すフィルタ特性を得ることができる。図１４において、ｆｃが３次高調波の周波数を示し、ＢがノッチフィルタＮＴＦ１による減衰特性を示し、ＡがローパスフィルタＬＰＦによる減衰特性を示している。尚、ノッチフィルタＮＴＦ２による減衰特性については省略している。図１４に示すように、フィルタ回路２３６を使用することにより、奇数次（３次、５次）の共振点における周波数だけでなく、それ以上の高い周波数に亘って減衰を有するフィルタ特性Ｄが得られる。
【０００６】
上述した手段によれば、無線通信システム９００から高周波信号内の高調波成分が出力されることを防止することができる。また、ノッチフィルタＮＴＦ１及びノッチフィルタＮＴＦ２で除去することができないその他の不要波はローパスフィルタＬＰＦで除去することができる。即ち、ローパスフィルタＬＰＦを用いることによって、複数の不要な共振を減衰させることができる。
【先行技術文献】
【特許文献】
【０００７】
【特許文献１】特開２００６−１０１４７８号公報
【発明の概要】
【発明が解決しようとする課題】
【０００８】
しかしながら特許文献１に開示された無線通信システム９００には、以下のような課題があった。
【０００９】
フィルタ回路２３６では、全ての不要波を除去するためノッチフィルタ以外にローパスフィルタＬＰＦが必要となる。しかしながら、ローパスフィルタＬＰＦを追加した場合、ローパスフィルタＬＰＦが複数の回路素子を有するため、アンテナを搭載した装置の回路規模が大きくなり、装置の小型化に適さないアンテナの構成になってしまう。また、キーレスエントリーシステムに使用されるリモコン装置にローパスフィルタＬＰＦを追加した場合、使用する周波数が比較的低い（４３４ＭＨｚ）ため、使用するインダクタは空芯コイルや厚さの厚いチップインダクタとする必要がある。その結果、リモコン装置の厚さが厚くなることで、装置の薄型化に適さないアンテナの構造になってしまう、という問題も生じる。
【００１０】
本発明は、このような従来技術の実情に鑑みてなされたもので、その目的は、ローパスフィルタを使用する必要のない、装置の小型化に適したアンテナを提供することにある。
【課題を解決するための手段】
【００１１】
この課題を解決するために、本発明のアンテナは、一端同士が互いに接続された第１導体部及び第２導体部から成るアンテナ素子と、前記第１導体部の両端間に並列接続されたキャパシタと、を備え、前記アンテナ素子の長さが、送信又は受信する高周波信号の基本波の波長の１／４の長さであり、前記第２導体部の他端が接地されていて、前記第１導体部の他端が前記高周波信号の入力又は出力される給電点に接続されている、という特徴を有する。
【００１２】
このように構成されたアンテナは、第１導体部及び第２導体部の一端同士を互いに接続し、第２導体部の他端を接地すると共に、キャパシタが並列接続された第１導体部の他端を給電点に接続する構成としたので、不要な共振が複数発生することがない。その結果、ローパスフィルタを必要としないため、装置の小型化に適したアンテナとすることができる。
【００１３】
また、上記の構成において、前記第１導体部の長さは、前記アンテナ素子の長さの１／４である、という特徴を有する。
【００１４】
このように構成されたアンテナでは、第１導体部の長さをアンテナ素子の長さの１／４としたので、第１導体部のインダクタ成分とキャパシタの容量成分とによる並列共振以外の不要な共振が発生しない。
【００１５】
また、上記の構成において、前記給電点と接地点との間に、ノッチフィルタ用キャパシタとノッチフィルタ用インダクタとの直列接続回路から成るノッチフィルタ回路が接続されていて、前記ノッチフィルタ回路の共振周波数が、前記第１導体部と前記キャパシタとによって構成される並列回路の共振周波数と同一の周波数に設定されている、という特徴を有する。
【００１６】
このように構成されたアンテナでは、ノッチフィルタ回路によって第１導体部のインダクタ成分とキャパシタの容量成分とによる並列共振のインピーダンスを減衰させることができる。その結果、不要な共振の存在しないアンテナ共振特性を得ることができる。また、ノッチフィルタ用インダクタは、空芯コイルではなく、印刷による金属導体で形成させることができるので、装置の薄型化に貢献できる。
【００１７】
また、上記の構成において、前記第１導体部と前記キャパシタとによって構成される並列回路の共振周波数を、前記高周波信号の基本波の周波数に設定した、という特徴を有する。
【００１８】
このように構成されたアンテナでは、第１導体部のインダクタ成分とキャパシタの容量成分とによって構成される並列回路の共振周波数を、高周波信号の基本波の周波数に設定したので、並列回路による共振とアンテナ素子による共振とを重ね合わせることができる。その結果、不要な共振がほとんど存在しないアンテナ共振特性を得ることができる。
【００１９】
また、上記の構成において、前記アンテナ素子が、絶縁基板上に金属導体で形成されていると共に、１ターンのループアンテナを構成している、という特徴を有する。
【００２０】
このように構成されたアンテナでは、絶縁基板上に１ターンのループアンテナを形成しているので、絶縁基板の外形に沿ってアンテナ素子を配置させることができる。その結果、装置の小型化に貢献できる。
【発明の効果】
【００２１】
本発明のアンテナは、第１導体部及び第２導体部の一端同士を互いに接続し、第２導体部の他端を接地すると共に、キャパシタが並列接続された第１導体部の他端を給電点に接続する構成としたので、不要な共振が複数発生することがない。その結果、ローパスフィルタを必要としないため、装置の小型化に適したアンテナとすることができる。
【図面の簡単な説明】
【００２２】
【図１】アンテナの外観を示す斜視図である。
【図２】第１実施形態のアンテナの構成を示す回路図である。
【図３】並列回路の接続位置を変更した場合のアンテナの回路図である。
【図４】並列回路の接続位置を変更した場合のアンテナ共振特性グラフである。
【図５】第１導体部の長さとキャパシタの容量成分との組み合わせ表である。
【図６】図５に示す組み合わせによるアンテナ共振特性グラフである。
【図７】第２実施形態のアンテナの構成を示す回路図である。
【図８】ノッチフィルタ回路の構成を示す回路図である。
【図９】ノッチフィルタ回路無し及び有りの場合のアンテナ共振特性グラフである。
【図１０】第３実施形態の第１導体部の長さとキャパシタの容量成分との組み合わせ表である。
【図１１】図１０に示す組み合わせによるアンテナ共振特性グラフである。
【図１２】従来例に係るアンテナのアンテナ共振特性グラフである。
【図１３】従来例で使用されるフィルタ回路のブロック図である。
【図１４】従来例で使用されるフィルタ回路の周波数特性である。
【発明を実施するための形態】
【００２３】
以下、本発明の各実施形態について、図面を参照しながら説明する。
【００２４】
第１実施形態に係るアンテナ１００の構成及びその共振特性について図１乃至図６を用いて説明する。
【００２５】
図１は、アンテナ１００の外観を示す斜視図であり、図２は、アンテナ１００の回路構成を示す回路図である。また、図３（ａ），（ｂ），（ｃ）は、並列回路５の接続位置を変更した場合のそれぞれのアンテナの回路図であり、図４（ａ），（ｂ），（ｃ）は、並列回路５の接続位置を変更した場合それぞれに対応するアンテナ共振特性グラフである。また、図５は、第１導体部１ａの長さＡ１の最適な長さを決定するために、並列回路５の共振周波数を一定とし、第１導体部１ａの長さＡ１とキャパシタ３の容量成分Ｃ１とをそれぞれ変更した場合の組み合わせ表である。そして、図６（ａ），（ｂ），（ｃ）は、上記組み合わせそれぞれに対応したアンテナ共振特性グラフである。
【００２６】
最初にアンテナ１００の構造について説明する。図１に示すように、アンテナ１００は、絶縁基板１７上に形成されている。絶縁基板１７上には、アンテナ素子１が印刷による金属導体によって形成されている。また、絶縁基板１７上には、アンテナ素子１以外に、電子部品（図示せず）や絶縁基板１７上の接続導体（図示せず）等によって形成された高周波回路１１が、搭載されている。また、アンテナ素子１は、絶縁基板１７上に金属導体で形成されていると共に、１ターンのループアンテナ２１を構成している。また、アンテナ素子１は、絶縁基板１７の外形に沿って配置されている。
【００２７】
１ターンのループアンテナ２１を構成しているアンテナ素子１は、一方の端部が給電点７を介して高周波回路１１と接続され、他方の端部が接地点９に接続されている。また、ループアンテナ２１の一部には並列回路５が形成されている。並列回路５については後述する。
【００２８】
次にアンテナ１００の回路構成について説明する。アンテナ１００は、図２に示すように、一端同士が互いに接続された第１導体部１ａ及び第２導体部１ｂから成るアンテナ素子１と、第１導体部１ａの両端間に並列接続されたキャパシタ３と、を備えている。アンテナ１００が送信又は受信する高周波信号ＲＦの基本波の周波数は所定の周波数Ｆ０に設定されている。アンテナ１００が送信アンテナとして動作する時、高周波回路１１で信号処理された高周波信号ＲＦは、給電点７及びアンテナ１００を介して、対応する通信機器へ送信される。また、アンテナ１００が受信アンテナとして動作する時、対応する通信機器から送信され、受信された高周波信号ＲＦは、アンテナ１００及び給電点７を介して高周波回路１１に入力され、信号処理される。尚、アンテナ１００の共振周波数Ｆ０は、キーレスエントリーシステムに使用されるリモコン装置用の高周波信号周波数である４３４ＭＨｚに設定される。
【００２９】
アンテナ素子１を構成している第１導体部１ａ及び第２導体部１ｂは、第２導体部１ｂの他端が接地点９に接地されていて、第１導体部１ａの他端が給電点７に接続されている。アンテナ素子１は、その長さＡ０が高周波信号ＲＦの基本波の波長の１／４の長さに設定されている。また、第１導体部１ａの長さＡ１はアンテナ素子１の長さＡ０の１／４に設定されている。その結果、第１導体部１ａの長さＡ１は高周波信号ＲＦの基本波の波長の１／１６の長さになる。また、第２導体部１ｂの長さＡ２はアンテナ素子１の長さＡ０の３／４に設定される。従って、第２導体部１ｂの長さＡ２は高周波信号ＲＦの基本波の波長の３／１６の長さになる。
【００３０】
図２に示すように、第１導体部１ａは長さＡ１を有し、長さＡ１の導体によってインダクタ成分Ｌ１を有する。また、第１導体部１ａの両端間には容量成分Ｃ１を有するキャパシタ３が並列接続されていて、第１導体部１ａとキャパシタ３とで並列回路５を構成している。第１導体部１ａのインダクタ成分Ｌ１とキャパシタ３の容量成分Ｃ１とによって構成される並列回路５の共振周波数は、所定の共振周波数Ｆ１に設定されている。共振周波数Ｆ１は、高周波信号ＲＦの基本波の３倍程度の周波数に設定される。尚、キャパシタ３の容量成分Ｃ１は、１ｐＦに設定されている。
【００３１】
並列回路５の一端は第２導体部１ｂの一端に接続されており、並列回路５の他端は給電点７に接続されている。並列回路５と第２導体部１ｂとは直列接続されているが、並列回路５は、給電点７と第２導体部１ｂの一端との間に接続されていなければならない。並列回路５の接続位置が給電点７と第２導体部１ｂの一端との間でなければならない理由について、以下に説明する。
【００３２】
図３は、並列回路５の最適な接続位置を決定するために、並列回路５の接続位置を変更した場合のアンテナの回路図であり、図３（ａ）が、並列回路５を第２導体部１ｂと接地点９との間に接続した場合の回路図であり、図３（ｂ）が、２分割した２つの第２導体部１ｂ間に並列回路５を接続した場合の回路図である。そして、図３（ｃ）が、並列回路５を給電点７と第２導体部１ｂの一端との間に接続した場合の回路図、即ち本発明の第１実施形態であるアンテナ１００の回路図である。
【００３３】
また、図４（ａ）は、図３（ａ）に示した回路図でシミュレーション測定した場合のアンテナ共振特性であり、図４（ｂ）は、図３（ｂ）に示した回路図でシミュレーション測定した場合のアンテナ共振特性である。そして、図３（ｃ）が、図３（ｃ）に示した回路図でシミュレーション測定した場合の、即ちアンテナ１００のアンテナ共振特性である。尚、前述したように、第１導体部１ａの長さＡ１はアンテナ素子１の長さＡ０の１／４に設定されているが、第１導体部１ａの長さＡ１をアンテナ素子１の長さＡ０の１／４に設定している理由については後述する。
【００３４】
図３（ａ）で示した、並列回路５を第２導体部１ｂと接地点９との間に接続した場合には、図４（ａ）に示すように、そのアンテナ共振特性には、不要な共振点が複数の周波数ポイントで現れる。従ってこの場合、従来例で示したと同様に、ローパスフィルタが必要となり、アンテナの回路規模を大きくしてしまうことになる。
【００３５】
次に、図３（ｂ）に示した、並列回路５を２分割した２つの第２導体部１ｂ間に接続した場合にも、図４（ｂ）に示すように、そのアンテナ共振特性には、不要な共振点が複数の周波数ポイントで現れる。従ってこの場合も、従来例で示したと同様に、ローパスフィルタが必要となり、アンテナの回路規模を大きくしてしまうことになる。
【００３６】
次に、図３（ｃ）に示した、アンテナ１００の回路図、即ち並列回路５を第２導体部１ｂと給電点７との間に接続した場合には、図４（ｃ）に示すように、そのアンテナ共振特性には、並列回路５による共振点（Ｆ１）以外、不要な共振点は現れていない。従ってこの場合は、従来例で示したローパスフィルタは必要とせず、後述する１つのノッチフィルタ回路を設けるだけで並列回路５による共振点を減衰させることができる。また、この共振点が他の通信システムに関わる周波数以外の周波数になるように、並列回路５の共振周波数Ｆ１を設定すれば、ノッチフィルタ回路も必要としない。尚、本発明の第１実施形態のアンテナ１００では、ノッチフィルタ回路を使用しない回路構成としている。
【００３７】
このように、アンテナ１００にローパスフィルタを必要としないようにするためには、並列回路５が第２導体部１ｂと給電点７との間に接続される必要がある。
【００３８】
次に、アンテナ１００の、第１導体部１ａの長さＡ１をアンテナ素子１の長さＡ０の１／４に設定する理由について説明する。
【００３９】
図５は、第１導体部１ａの長さＡ１の最適な長さを決定するために、第１導体部１ａの長さＡ１とキャパシタ３の容量成分Ｃ１とをそれぞれ変更した場合の組み合わせ表である。この組み合わせ表の中の、（ａ）は、Ａ１＝１／８λ、Ｃ１＝０．５ｐＦの組み合わせであり、（ｂ）は、Ａ１＝１／１６λ、Ｃ１＝１ｐＦの組み合わせであり、（ｃ）は、Ａ１＝１／３２λ、Ｃ１＝２ｐＦの組み合わせであり、（ｄ）は、Ａ１＝１／６４λ、Ｃ１＝４ｐＦの組み合わせである。尚、ここでλは、アンテナ１００で送信又は受信する高周波信号ＲＦの基本波の波長である。また、組み合わせ表で示した図５の（ａ），（ｂ），（ｃ），及び（ｄ）は、それぞれ、Ａ１＊Ｃ１の値が一定であるため、並列回路５の共振周波数も一定となる。そして、図６（ａ），（ｂ），（ｃ），及び（ｄ）は、上記組み合わせ図５の（ａ），（ｂ），（ｃ），及び（ｄ）に対応したアンテナ共振特性グラフである。
【００４０】
図５の（ａ）の組み合わせ、即ちＡ１＝１／８λの場合には、図６（ａ）に示すように、並列回路５による共振点（Ｆ１）以外に不要な共振点が複数の周波数ポイントに現れる。従ってこの場合、従来例で示したと同様に、ローパスフィルタが必要となる。
【００４１】
次に、図５の（ｂ）の組み合わせ、即ちＡ１＝１／１６λの場合について説明する。この場合、図６（ｂ）に示すように、そのアンテナ共振特性には、並列回路５による共振点（Ｆ１）が現れているが、その他の不要な共振点は現れていない。従ってこの場合は、従来例で示したローパスフィルタは必要としない。尚、図５に示す（ｂ）の組み合わせは、本発明の第１実施形態のアンテナ１００の場合の組み合わせである。
【００４２】
図５の（ｃ）の組み合わせ、即ちＡ１＝１／３２λの場合には、図６（ｃ）に示すように、そのアンテナ共振特性には、並列回路５による共振点（Ｆ１）以外に、不要な共振点が複数の周波数ポイントで現れているが、そのレベルは、実用上、問題のないレベルであると考えられる。
【００４３】
図５の（ｄ）の組み合わせ、即ちＡ１＝１／６４λの場合にも、図６（ｄ）に示すように、そのアンテナ共振特性には、並列回路５による共振点（Ｆ１）以外に、不要な共振点が複数の周波数ポイントで現れる。従ってこの場合、従来例で示したと同様に、ローパスフィルタが必要となる。
【００４４】
上述した通り、図５の（ｂ）の組み合わせ、即ちＡ１＝１／１６λとした場合、言い換えれば第１導体部１ａの長さＡ１をアンテナ素子１の長さＡ０の１／４とすれば、第１導体部１ａのインダクタ成分Ｌ１とキャパシタ３の容量成分Ｃ１とによる並列共振以外の不要な共振が発生しない。従って第１導体部１ａの長さＡ１を、アンテナ素子１の長さＡ０の１／４とした場合が最も好ましい。
【００４５】
このように、アンテナ１００では、第１導体部１ａ及び第２導体部１ｂの一端同士を互いに接続し、キャパシタ３が並列接続された第１導体部１ａの他端を給電点７に接続すると共に、第２導体部１ｂの他端を接地する構成としたので、不要な共振が複数発生することがない。その結果、ローパスフィルタを必要としないため、装置の小型化に適したアンテナ１００とすることができる。
【００４６】
また、第１導体部１ａの長さＡ１を、アンテナ素子１の長さＡ０の１／４としたので、第１導体部１ａのインダクタ成分Ｌ１とキャパシタ３の容量成分Ｃ１とによる並列共振以外の不要な共振が発生しない。
【００４７】
また、アンテナ素子１が絶縁基板１７上に１ターンのループアンテナ２１を形成しているので、絶縁基板１７の外形に沿ってアンテナ素子１を配置させることができる。その結果、装置の小型化に貢献できる。
【００４８】
次に、第２実施形態のアンテナ２００の構成及びその共振特性について図７乃至図９を用いて説明する。
【００４９】
図７は、第２実施形態のアンテナ２００の構成を示す回路図であり、図８は、アンテナ２００で使用するノッチフィルタ回路１５の構成を示す回路図である。図９（ａ）は、ノッチフィルタ回路１５が無い場合（アンテナ１００の場合）のアンテナ共振特性グラフであり、図９（ｂ）は、ノッチフィルタ回路１５が有る場合のアンテナ共振特性グラフである。尚、アンテナ２００とアンテナ１００との相違点は、ノッチフィルタ回路１５が有るか無いかだけである。従って、アンテナ２００の構成の説明において、ノッチフィルタ回路１５以外の説明を省略することがある。
【００５０】
最初にアンテナ２００の構成について説明する。アンテナ２００では、図７に示すように、ノッチフィルタ回路１５が給電点７と接地点９との間に接続されていている。また、図８に示すように、ノッチフィルタ回路１５は、ノッチフィルタ用キャパシタ１５ａとノッチフィルタ用インダクタ１５ｂとの直列接続回路から成る。
【００５１】
アンテナ２００の共振周波数Ｆ０は、アンテナ１００の共振周波数Ｆ０と同様、キーレスエントリーシステムに使用されるリモコン装置用のため、４３４ＭＨｚに設定される。また、ノッチフィルタ用キャパシタ１５ａの容量成分Ｃ２とノッチフィルタ用インダクタ１５ｂのインダクタ成分Ｌ２とによる共振周波数Ｆ２は、第１導体部１ａのインダクタ成分Ｌ１とキャパシタ３の容量成分Ｃ１とによる共振周波数Ｆ１と同一の周波数に設定される。
【００５２】
図９（ａ）に示すように、ノッチフィルタ回路１５が無い場合（アンテナ１００の場合）には、並列回路５による共振点（Ｆ１）が１点存在するが、図９（ｂ）に示すように、ノッチフィルタ回路１５を追加することによって、この共振点における共振インピーダンスを大幅に減衰させることができる。その結果、携帯電話の通信や無線ＬＡＮ等の他の通信システム影響を受けることがなく、又携帯電話の通信や無線ＬＡＮ等の他の通信システムに影響を与えることがない。
【００５３】
図８に示すノッチフィルタ用インダクタ１５ｂは、前述したように、共振周波数Ｆ２即ち共振周波数Ｆ１が、アンテナ２００の共振周波数Ｆ０（４３４ＭＨｚ）の３倍の周波数（１．３０２ＧＨｚ）程度に設定されているため、比較的小さなインダクタンス値に設定することができる。従って、ノッチフィルタ用インダクタ１５ｂは、空芯コイルではなく、図１で示した絶縁基板１７上に、アンテナ素子１と同様に、印刷による金属導体で形成させることができる。従って、装置の薄型化に貢献できる。
【００５４】
このように、アンテナ２００では、給電点７と接地点９との間に、ノッチフィルタ用キャパシタ１５ａとノッチフィルタ用インダクタ１５ｂとの直列接続回路から成るノッチフィルタ回路１５が接続されている。そして、ノッチフィルタ回路１５の共振周波数Ｆ２が、第１導体部１ａのインダクタ成分Ｌ１とキャパシタ３の容量成分Ｃ１とによって構成される並列回路５の共振周波数Ｆ１と同一の周波数に設定されているので、ノッチフィルタ回路１５によって並列回路５の共振周波数Ｆ１における並列共振のインピーダンスを減衰させることができる。その結果、不要な共振の存在しないアンテナ共振特性を得ることができる。また、ノッチフィルタ用インダクタ１５ｂは、空芯コイルではなく、印刷による金属導体で形成させることができるので、装置の薄型化に貢献できる。
【００５５】
次に、第３実施形態のアンテナ３００の構成及びその共振特性について図２、図１０及び図１１を用いて説明する。  
【００５６】
アンテナ３００では、図２におけるキャパシタ３の容量成分Ｃ１を、所定の容量値（Ｃ１＝８ｐＦ）としている。アンテナ３００とアンテナ１００との相違点は、キャパシタ３の容量成分Ｃ１の値が異なることだけである。従って、アンテナ３００の構成については、図２を参照することとし、その詳しい説明は省略する。また、アンテナ２００で適用されたノッチフィルタ回路１５は、アンテナ３００では適用されていない。
【００５７】
キャパシタ３の容量成分Ｃ１を所定の容量値（Ｃ１＝８ｐＦ）に設定することにより、第１導体部１ａのインダクタ成分Ｌ１とキャパシタ３の容量成分Ｃ１とによって構成される並列回路５の共振周波数Ｆ１を、受信又は送信する高周波信号ＲＦの基本波の周波数Ｆ０と同一の周波数に設定することができる。並列回路５の共振周波数Ｆ１を、高周波信号ＲＦの基本波の周波数Ｆ０と同一の周波数に設定する理由を以下に説明する。
【００５８】
図１０は、第１導体部１ａの長さＡ１を第１実施形態のアンテナ１００で求めた最適な長さ、即ちＡ１＝１／１６λで一定とした状態で、並列回路５の共振周波数Ｆ１を可変した場合の組み合わせ表である。この組み合わせ表の中の、（ａ）は、Ａ１＝１／１６λ、Ｃ１＝１ｐＦの組み合わせであり、（ｂ）は、Ａ１＝１／１６λ、Ｃ１＝２ｐＦの組み合わせであり、（ｃ）は、Ａ１＝１／１６λ、Ｃ１＝４ｐＦの組み合わせであり、（ｄ）は、Ａ１＝１／１６λ、Ｃ１＝８ｐＦの組み合わせである。尚、組み合わせ表で示した（ａ），（ｂ），（ｃ），及び（ｄ）は、それぞれ、Ａ１の値が一定であるため、並列回路５の共振周波数Ｆ１は、（ａ），（ｂ），（ｃ），（ｄ）の順で小さくなっていく。図１１（ａ），（ｂ），（ｃ），及び（ｄ）は、上記の図１０における組み合わせ（ａ），（ｂ），（ｃ），及び（ｄ）に対応したアンテナ共振特性グラフである。
【００５９】
図１０の（ａ）の組み合わせ、即ちＡ１＝１／１６λ、Ｃ１＝１ｐＦの場合、について説明する。この場合、図１１（ａ）に示すように、そのアンテナ共振特性には、不要な共振点は、複数の周波数ポイントでは現れていないが、並列回路５による共振点（Ｆ１）が現れている。尚、図１０の（ａ）の組み合わせは、前述した本発明の第１実施形態のアンテナ１００の場合の組み合わせである。
【００６０】
次に、図１０の（ｂ）及び図１０の（ｃ）の組み合わせ、即ちＡ１＝１／１６λで、Ｃ１＝２ｐＦ、及びＡ１＝１／１６λで、Ｃ１＝４ｐＦの場合、図１１の（ｂ）及び図１１の（ｃ）に示すように、それぞれ並列回路５による１つの共振点（Ｆ１）が現れており、その共振周波数は、Ｃ１の値の増加に伴って低くなっている。
【００６１】
次に、図１０の（ｄ）の組み合わせ、即ちＡ１＝１／１６λ、Ｃ１＝８ｐＦとした場合、図１１の（ｄ）に示すように、並列回路５による共振周波数Ｆ１は、アンテナ１００の共振周波数Ｆ０と同一になっている。その結果、並列回路５による共振点（Ｆ１）が消えると共に、この周波数におけるインピーダンスが大きくなっている。言い換えれば、第１導体部１ａのインダクタ成分Ｌ１とキャパシタ３の容量成分Ｃ１とによって構成される並列回路５の共振周波数Ｆ１を、送信又は受信する高周波信号ＲＦの基本波の周波数Ｆ０に設定することによって、アンテナ共振特性を改善することができる。尚、基本波の３次及び５次に相当する周波数に、わずかな共振が残っているが、実用上問題のないレベルであると考えられる。
【００６２】
このように、アンテナ３００では、第１導体部１ａのインダクタ成分Ｌ１とキャパシタ３の容量成分Ｃ１とによって構成される並列回路５の共振周波数Ｆ１を、受信又は送信される高周波信号ＲＦの基本波の周波数Ｆ０に設定したので、並列回路５による共振とアンテナ素子１による共振とを重ね合わせることができる。その結果、不要な共振がほとんど存在しないアンテナ共振特性を得ることができる。
【００６３】
以上説明したように、本発明のアンテナは、第１導体部及び第２導体部の一端同士を互いに接続し、第２導体部の他端を接地すると共に、キャパシタが並列接続された第１導体部の他端を給電点に接続する構成としたので、不要な共振が複数発生することがない。その結果、ローパスフィルタを必要としないため、装置の小型化に適したアンテナとすることができる。
【００６４】
以上のように、本発明の実施形態に係るアンテナ１００乃至アンテナ３００について説明したが、本発明は上記の実施形態に限定されるものではなく、要旨を逸脱しない範囲で種々変更して実施することが可能である。
【符号の説明】
【００６５】
１        アンテナ素子
１ａ      第１導体部
１ｂ      第２導体部
３        キャパシタ
５        並列回路
７        給電点
９        接地点
１１      高周波回路
１５      ノッチフィルタ回路
１５ａ    ノッチフィルタ用キャパシタ
１５ｂ    ノッチフィルタ用インダクタ
１７      絶縁基板
２１      ループアンテナ
１００    アンテナ
２００    アンテナ
３００    アンテナ
【図１】
2016019032.tif 000003
【図２】
2016019032.tif 000004
【図３】
2016019032.tif 000005
【図４】
2016019032.tif 000006
【図５】
2016019032.tif 000007
【図６】
2016019032.tif 000008
【図７】
2016019032.tif 000009
【図８】
2016019032.tif 000010
【図９】
2016019032.tif 000011
【図１０】
2016019032.tif 000012
【図１１】
2016019032.tif 000013
【図１２】
2016019032.tif 000014
【図１３】
2016019032.tif 000015
【図１４】
2016019032.tif 000016